(57)【要約】【課題】温度特性を持つＩＣインレットに対して、手動調節を要することなく、どのような温度帯でも確実に情報を書き込むことができるようにする。【解決手段】可視画像を形成可能な記録面１０６ａを有してＩＣインレット１０６ｂを内蔵するラベル用紙１０３を案内経路１０８に沿って搬送する過程で、入力したレベル設定信号に応じて書き込み出力を可変する無線通信部１１０によってＩＣインレット１０６ｂに情報を書き込み、印字部１１２によって記録面１０６ａに印字を行なう。この際、これから無線通信部１１０に情報の書き込みをさせようとするＩＣインレット１０６ｂの種類を特定する識別情報から対応するレベル設定信号を求め、求めたレベル設定信号を無線通信部１１０に入力してその書き込み出力をＩＣインレット１０６ｂの温度特性に応じて自動補正するようにした。【選択図】図２
2010201645.tif 000002
【特許請求の範囲】
【請求項１】
ＩＣインレットを備えて可視画像を形成可能な記録面を有する記録媒体を案内経路に沿って搬送する案内搬送部と、
前記案内経路に沿って搬送される記録媒体が備えるＩＣインレットとの間で近距離無線通信を行ない、レベル設定信号に応じて書き込み出力を可変する無線通信部と、
前記案内経路に沿って搬送される記録媒体の前記記録面に印字を行なう印字部と、
温度を検出して出力する温度センサと、
ＩＣインレットの種類を特定する識別情報から温度条件に応じた前記レベル設定信号を導き出すための検索データを格納する記憶部と、
情報を書き込もうとするＩＣインレットの前記識別情報を取り込み、前記記憶部が格納する前記検索データにアクセスして前記取り込んだ識別情報及び前記温度センサの出力温度から前記レベル設定信号を導き出し、導き出した前記レベル設定信号をもって前記無線通信部の書き込み出力を設定した状態で前記無線通信部にＩＣインレットに対する情報の書き込みを行なわせる制御部と、
を備えるプリンタ。
【請求項２】
前記制御部は、前記無線通信部が出力するＩＣインレットの読み取りデータに含まれているそのＩＣインレットの識別情報から前記調整信号を導き出す、請求項１記載のプリンタ。
【請求項３】
前記制御部は、ＩＣインレットに書き込むべき情報と共に上位機から受信した識別情報から前記調整信号を導き出す、請求項１記載のプリンタ。
【請求項４】
前記記憶部は、ＩＣインレットの種類を特定する識別情報に、温度条件に応じた前記レベル設定信号を対応付けて記憶する検索データを格納する、請求項１ないし３のいずれか一記載のプリンタ。
【請求項５】
前記記憶部は、ＩＣインレットの種類を特定する識別情報に、温度条件を代入して前記レベル設定信号を算出するための関数式を対応付けて記憶する検索データを格納する、請求項１ないし３のいずれか一記載のプリンタ。
【請求項６】
ＩＣインレットを備えて可視画像を形成可能な記録面を有する記録媒体を案内経路に沿って搬送する工程と、
前記案内経路に沿って搬送される記録媒体が備えるＩＣインレットとの間で、レベル設定信号に応じて書き込み出力を可変する無線通信部に近距離無線通信を行なわせる通信工程と、
前記案内経路に沿って搬送される記録媒体の記録面に、印字部によって印字を行なわせる印字工程と、
を備え、前記通信工程は、
情報を書き込もうとするＩＣインレットの種類を特定する識別情報を取り込むサブ工程と、
ＩＣインレットの種類を特定する識別情報から温度条件に応じた前記レベル設定信号を導き出すための検索データを格納する記憶部にアクセスし、前記取り込んだ識別情報及び温度センサの出力温度から前記レベル設定信号を導き出すサブ工程と、
前記導き出したレベル設定信号をもって前記無線通信部の書き込み出力を設定した状態で前記無線通信部にＩＣインレットに対する情報の書き込みを行なわせるサブ工程と、
を有している、
情報記録方法。
【発明の詳細な説明】
【技術分野】
【０００１】
本発明は、可視画像を形成可能な記録面を有する記録媒体が備えるＩＣインレットとの間で近距離無線通信を行なうようにした技術に係り、特に、そのような近距離無線通信を行なうプリンタ及びそのような近距離無線通信によってＩＣインレットに情報を書き込む情報記録方法に関する。
【背景技術】
【０００２】
近年、物品が備えるＩＣインレットとの間での近距離無線通信の技術が急速に普及している。このような技術の中でも、物品として可視画像を形成可能な記録面を有する記録媒体である印字用紙を用い、この印字用紙にＩＣインレットを搭載し、記録面に対する印字と共に、ＩＣインレットに対する情報記録を行なうようにしたプリンタも開発されている。特許文献１は、ＩＣインレットを搭載する印字用紙（ＲＦＩＤタグ付き印字用紙）を紹介し、このような印字用紙に対して印字及び情報書き込みを行なうようにしたプリンタを開示している（段落０００４等参照）。
【先行技術文献】
【特許文献】
【０００３】
【特許文献１】特開２００２−３３７４２６公報
【発明の概要】
【発明が解決しようとする課題】
【０００４】
上記プリンタでは、情報を読み取り中又は書き込み中のＩＣインレットに隣接する別のＩＣインレットに対して誤読み取り又は誤書き込みをしないようにしなければならない。このため、無線通信部の出力を必要以上に大きくしないような措置が採られている。とりわけ、読み取り時に比べて出力が大きくなる書き込み時の出力の設定程度は、誤書き込み防止を図る上で極めて重要性を持つ。このようなことから、書き込み時における無線通信部の出力は、書き込み対象となるＩＣインレットに対して正しく書き込みができる範囲でより小さく設定される傾向にある。
【０００５】
これに対して、ＩＣインレットのなかには、温度特性を持つものがある。このようなＩＣインレットを情報の書き込み対象とした場合、ある温度条件の下では正しく情報を書き込むことができながら、温度条件が変わると書き込みパワーが不足してしまい、書き込み不良を生じさせてしまうことがある。このような現象に対して、従来は、例えば無線通信部の書き込み出力を人手によって手動調節するしか対処方法がなかった。
【０００６】
本発明は、このような点に鑑みなされたもので、温度特性を持つＩＣインレットに対して、無線通信部の書き込み出力の手動調節を要することなく、どのような温度帯でも確実に情報を書き込むことができるようにすることを目的とする。
【課題を解決するための手段】
【０００７】
本発明のプリンタは、ＩＣインレットを備えて可視画像を形成可能な記録面を有する記録媒体を案内経路に沿って搬送する案内搬送部と、前記案内経路に沿って搬送される記録媒体が備えるＩＣインレットとの間で近距離無線通信を行ない、レベル設定信号に応じて書き込み出力を可変する無線通信部と、前記案内経路に沿って搬送される記録媒体の前記記録面に印字を行なう印字部と、温度を検出して出力する温度センサと、ＩＣインレットの種類を特定する識別情報から温度条件に応じた前記レベル設定信号を導き出すための検索データを格納する記憶部と、情報を書き込もうとするＩＣインレットの前記識別情報を取り込み、前記記憶部が格納する前記検索データにアクセスして前記取り込んだ識別情報及び前記温度センサの出力温度から前記レベル設定信号を導き出し、導き出した前記レベル設定信号をもって前記無線通信部の書き込み出力を設定した状態で前記無線通信部にＩＣインレットに対する情報の書き込みを行なわせる制御部と、を備える。
【０００８】
本発明の情報記録方法は、ＩＣインレットを備えて可視画像を形成可能な記録面を有する記録媒体を案内経路に沿って搬送する工程と、前記案内経路に沿って搬送される記録媒体が備えるＩＣインレットとの間で、レベル設定信号に応じて書き込み出力を可変する無線通信部に近距離無線通信を行なわせる通信工程と、前記案内経路に沿って搬送される記録媒体の記録面に、印字部によって印字を行なわせる印字工程と、を備え、前記通信工程は、情報を書き込もうとするＩＣインレットの種類を特定する識別情報を取り込むサブ工程と、ＩＣインレットの種類を特定する識別情報から温度条件に応じた前記レベル設定信号を導き出すための検索データを格納する記憶部にアクセスし、前記取り込んだ識別情報及び温度センサの出力温度から前記レベル設定信号を導き出すサブ工程と、前記導き出したレベル設定信号をもって前記無線通信部の書き込み出力を設定した状態で前記無線通信部にＩＣインレットに対する情報の書き込みを行なわせるサブ工程と、を有している。
【発明の効果】
【０００９】
本発明によれば、これから無線通信部に情報の書き込みをしようとするＩＣインレットの種類を特定する識別情報と温度センサの出力温度とから導かれるレベル設定信号を無線通信部に入力してその書き込み出力を設定するようにしたので、無線通信部の書き込み出力をＩＣインレットの温度特性に応じて自動補正することができ、したがって、無線通信部の書き込み出力の手動調節を要することなく、温度特性を持つＩＣインレットに対してもどのような温度帯でも確実に情報を書き込むことができる。
【図面の簡単な説明】
【００１０】
【図１】本発明の実施の一形態として、プリンタを含む顧客システムとメンテナンス用サイトを開設するメーカシステムとを含む全体システムの模式図である。
【図２】プリンタの内部構造を示す模式図である。
【図３】プリンタのハードウェア構成を示すブロック図である。
【図４】無線通信部のハードウェア構成を示すブロック図である。
【図５】ＥＥＰＲＯＭ（記憶部）が格納する検索データの各種態様を例示する模式図である。
【図６】ラベル発行処理の流れを示すフローチャートである。
【図７】ＩＣインレットに対する情報の書き込み処理の流れを示すフローチャートである。
【発明を実施するための形態】
【００１１】
本発明の実施の一形態を図１ないし図７に基づいて説明する。
【００１２】
図１は、プリンタ１０１を含む顧客システム１１とメンテナンス用サイト２０１を開設するメーカシステム２１とを含む全体システムの模式図である。
【００１３】
顧客システム１１では、複数台のコンピュータ１２１と複数台のプリンタ１０１とが構内ネットワークＮＷを介して通信自在に接続されている。構内ネットワークＮＷには、例えばインターネット回線網ＩＮＴに顧客システム１１をアクセス可能とするための外部通信用機器１４１も接続されている。顧客システム１１に含まれているコンピュータ１２１は、外部通信用機器１４１を介してインターネット回線網ＩＮＴにアクセス可能である。
【００１４】
メーカシステム２１は、メンテナンス用サイト２０１を顧客システム１１に公開しており、顧客システム１１が有しているコンピュータ１２１からのアクセスを許容している。メンテナンス用サイト２０１は、一例として、コンピュータ１２１にインストールすべきプリンタ１０１を駆動するためのドライバ（図示せず）のダウンロードや、プリンタ１０１に記憶させる各種の設定データのダウンロード等を顧客システム１１に提供している。
【００１５】
図２は、プリンタ１０１の内部構造を示す模式図である。プリンタ１０１は、その本体ケース１０２の内部に、記録媒体としてのラベル用紙１０３を保持する用紙保持部１０４を備えている。ラベル用紙１０３は、ロール状に巻回された長尺状のロール紙であり、台紙１０５に複数枚のラベル１０６が一定間隔で貼り付けられて形成されている。このようなラベル用紙１０３を保持する用紙保持部１０４は、ラベル用紙１０３の中心に設けられた用紙孔１０３ａに挿通可能な軸状の形態を有している。これにより、ロール状に巻回された形態のラベル用紙１０３は、用紙保持部１０４に回転自在に保持されている。このようなラベル用紙１０３が備えるラベル１０６は、その表面側に可視画像を形成可能な記録面１０６ａを有しており、ＩＣインレット１０６ｂを内蔵している。記録面１０６ａは、ラベル１０６の表面に形成された感熱層であり、サーマル印字方式での印字によって発色し、発色部分に可視画像を形成する。ＩＣインレット１０６ｂは、プロセッサ及びメモリ等を集積回路化するＩＣチップにアンテナが組み合わされて形成されており（いずれも図示せず）、ラベル１０６に埋設されている。このようなＩＣインレット１０６ｂが備えるＩＣチップとしては、外部から起電力が付与されるパッシブ型のものが用いられている。
【００１６】
プリンタ１０１は、本体ケース１０２の内部に、用紙保持部１０４に保持されたラベル用紙１０３を排紙口１０７まで導く案内経路１０８を形成している。プリンタ１０１は、案内経路１０８に沿わせてその上流側から下流側に向けて、用紙センサ１０９、無線通信部１１０のアンテナ１７９（図４参照）を保持するアンテナ保持体１１１、印字部１１２、及びカッタ１１３を順に配列させている。プリンタ１０１は、更に、本体ケース１０２の内部温度に応じた出力電圧値を出力する温度センサ１１４も内蔵している。
【００１７】
無線通信部１１０は、アンテナ１７９（図４参照）を利用してラベル用紙１０３が備えるＩＣインレット１０６ｂと近距離無線通信を実行する機器である。アンテナ１７９を保持するアンテナ保持体１１１は、案内経路１０８の下方で案内経路１０８に対面する位置に配置されている。そこで、無線通信部１１０は、アンテナ１７９と対面する位置に位置付けられているＩＣインレット１０６ｂとの間で無線通信を行なう。このような無線通信部１１０は、ハウジング１１０ａに無線タグリーダライタ１７１（図３及び図４参照）を内蔵させたユニットとして形成されている。無線タグリーダライタ１７１の詳細については、図４に基づいて後に詳述する。
【００１８】
印字部１１２は、プラテン１１２ａとライン型のサーマルプリントヘッド１１２ｂとから構成されている。プラテン１１２ａは案内経路１０８に沿ってその下方に配置されており、サーマルプリントヘッド１１２ｂはそのようなプラテン１１２ａに案内経路１０８を介して接離自在に当接している。このような構造の印字部１１２は、プラテン１１２ａが回転駆動されることでラベル用紙１０３に搬送力を与え、ラベル用紙１０３を排紙口１０７に向けて搬送する。この意味で、プラテン１１２ａ及びその駆動源となるプラテンモータＰＭ（図３参照）は、記録媒体であるラベル用紙１０３を案内経路１０８に沿って搬送する案内搬送部として機能する。
【００１９】
温度センサ１１４は、用紙保持部１０４の近傍に配置され、ラベル用紙１０３が置かれている環境温度を測定する。このようなラベル用紙１０３が置かれている環境温度を測定するためのセンシング部材は、従来のプリンタでも一般的に設けられている。本実施の形態のプリンタ１０１は、そのような一般的なセンシング部材としての温度センサ１１４を、ＩＣインレット１０６ｂが置かれている環境温度の測定にも利用している。ＩＣインレット１０６ｂが置かれている環境温度を測定する意味については、後に詳述する。
【００２０】
図３は、プリンタのハードウェア構成を示すブロック図である。プリンタ１０１は、情報処理を実行するハードウェア資源として、制御部１５１を有している。制御部１５１は、ＣＰＵ１５２に、ＳＲＡＭ１５３とフラッシュＲＯＭ１５４とＥＥＰＲＯＭ１５５とがバスラインＢＬを介して接続されることにより構成されている。ＳＲＡＭ１５３は、一時記憶データ等の可変データを書き替え自在に記憶し、ワークエリアとして利用される。フラッシュＲＯＭ１５４は、動作プログラムをブロック単位で書き換え自在に格納している。ＥＥＰＲＯＭ１５５は、動作プログラムの実行に際して必要な各種の設定値やデータを書き換え自在に格納している。制御部１５１のＣＰＵ１５２は、フラッシュＲＯＭ１５４が格納する動作プログラムに従い各種処理を実行し、各部を駆動制御してプリンタ１０１に印字動作及び無線通信部１１０によるＩＣインレット１０６ｂへの情報書き込み動作等を実行させる。
【００２１】
ＣＰＵ１５２は、バスラインＢＬを介して、サーマルプリントヘッド１１２ｂを制御するためのヘッド制御回路１６１、案内搬送部を構成するプラテン１１２ａの回転駆動源であるプラテンモータＰＭ及びカッタ１１３の駆動源であるカッタモータＣＭを駆動制御するためのモータコントローラ１６２、操作表示部１６３、用紙センサ１０９から信号を取り込むための光センサ入力回路１６４、温度センサ１１４から信号を取り込むための温度センサ入力回路１６５、無線通信部１１０、及び通信インターフェース１６６と接続している。通信インターフェース１６６は、構内ネットワークＮＷを介してプリンタ１０１を外部機器に通信自在に接続する。
【００２２】
図４は、無線通信部１１０のハードウェア構成を示すブロック図である。無線通信部１１０は、前述したように、無線タグリーダライタ１７１を内蔵している。無線タグリーダライタ１７１は、各種プロセスをシーケンシャルに実行する主制御部１７２を頭脳として動作する。主制御部１７２は、集積回路によって構成されたデジタル回路であり、レジスト領域１７２ａに一時データ等を一時記憶しながらシーケンシャルな処理プロセスを順次実行する。このような主制御部１７２は、ラベル用紙１０３が備えるＩＣインレット１０６ｂに送信する送信データを符号化部１７３で符号化して変調部１７４に出力する。変調部１７４は、キャリア発振器１７５より出力される搬送波に符号化部１７３から出力された送信データを乗せて変調信号として出力する。この際、キャリア発振器１７５は、予め決められた周波数の搬送波を発生する。出力された変調信号は、増幅器１７６で増幅され、送信フィルタ１７７で必要なフィルタリングが施された後、共振回路１７８に出力される。すると、共振回路１７８は、入力した信号に基づく共振動作を開始し、アンテナ１７９から送信信号を電磁波として出力する。
【００２３】
これにより、アンテナ１７９の近傍にＩＣインレット１０６ｂが位置付けられると、ＩＣインレット１０６ｂに電磁誘導作用によって起電力が与えられ、ＩＣインレット１０６ｂと主制御部１７２との間では通信可能な状態となる。つまり、共振回路１７８の出力側には受信フィルタ１８０が接続されており、起電力を与えられたＩＣインレット１０６ｂが出力する信号は受信フィルタ１８０に入力されてフィルタリングされた後、増幅器１８１で増幅されて復調部１８２で復調される。復調部１８２で復調された信号波形は２値化処理部１８３で２値化されると、復号化部１８４で復号されて主制御部１７２に入力される。こうして、ＩＣインレット１０６ｂと主制御部１７２との間で、データ通信が可能となる。主制御部１７２は、データ送受信回路１８５を介してプリンタ１０１の制御部１５１に接続されており、制御部１５１から指令を受けたり、ＩＣインレット１０６ｂから読み取ったデータを制御部１５１に送信出力したりする。
【００２４】
このように構成された無線タグリーダライタ１７１では、送信データを増幅する方の増幅器１７６に、出力レベル調節機能が備えられている。この機能は、主制御部１７２からレベル設定信号を増幅器１７６に送信し、このレベル設定信号に従い増幅器１７６が出力レベルを設定する機能である。
【００２５】
図５は、ＥＥＰＲＯＭ１５５（記憶部）が格納する検索データ１５５ａの各種態様を例示する模式図である。本実施の形態のプリンタ１０１は、個々相違するラベル用紙１０３が内蔵するＩＣインレット１０６ｂの温度特性に応じて、無線通信部１１０が備える無線タグリーダライタ１７１の書き込み出力を自動調節する。図５に例示する検索データは、このような自動調節処理に際して利用される。
【００２６】
つまり、制御部１５１のＣＰＵ１５２は、これから情報を書き込もうとするＩＣインレット１０６ｂの種類を特定する識別情報を取り込み、これと共に温度センサ１１４の出力温度も取り込み、これらの二つの情報に基づいて無線タグリーダライタ１７１の出力レベルを決めるレベル設定信号を導き出す。この際、ＣＰＵ１５２は、ＥＥＰＲＯＭ１５５が格納する検索データ１５５ａを利用する。検索データ１５５ａは、ＩＣインレット１０６ｂの種類を特定する識別情報から温度条件に応じたレベル設定信号を導き出し得るようなデータ構造を有している。このような検索データ１５５ａは、制御部１５１のＣＰＵ１５２がＩＣインレット１０６ｂの種類を特定する識別情報としてどのような情報を取り込むのかによって、また、無線タグリーダライタ１７１での出力レベル調節の仕組みいかんによって、それらの条件に適したデータ構造を持つ。そこで、ＣＰＵ１５２が取り込むＩＣインレット１０６ｂの種類を特定する識別情報について、また、無線タグリーダライタ１７１が行なう出力レベルの調節手法について、詳しく説明する。
【００２７】
まず、ＩＣインレット１０６ｂの種類を特定する識別情報及びその取り込み手法について説明する。
【００２８】
一例として、ＣＰＵ１５２は、ＩＣインレット１０６ｂの種類を特定する識別情報として、そのＩＣチップのＩＤコードを取り込む。ＩＣチップのＩＤコードの取り込み手法は次の通りである。ＩＣインレット１０６ｂが有しているＩＣチップは、自らの種類を特定するＩＤコードを記憶している。そこで、ＣＰＵ１５２は、ＩＣチップに対する情報の書き込みに先立ち行なわれるＩＣチップとの通信確立処理に際して、ＩＣチップからそのＩＤコードをリードする。こうして、ＣＰＵ１５２は、これから情報を書き込もうとするＩＣインレット１０６ｂが内蔵するＩＣチップのＩＤコードをＩＣインレット１０６ｂの種類を特定する識別情報として取り込むことができる。これが、ＩＣインレット１０６ｂの種類を特定する識別情報及びその取り込み手法の一例である。
【００２９】
別の一例として、ＣＰＵ１５２は、ＩＣインレット１０６ｂの種類を特定する識別情報として、ラベル用紙１０３のＩＤコードを取り込む。一般的に、ラベル用紙１０３とＩＣインレット１０６ｂとは一対一で対応しているはずなので、ラベル用紙１０３が特定されればＩＣインレット１０６ｂも特定されることになる。ラベル用紙１０３のＩＤコードの取り込み手法は次の通りである。プリンタ１０１に対するラベル発行要求は、コンピュータ１２１（図１参照）から送信される。この際、一般的に、コンピュータ１２１上でプリンタ１０１にセットするラベル用紙１０３の種類の設定が行なわれる。ラベル用紙１０３の種類が設定されれば、コンピュータ１２１においてラベル用紙１０３のＩＤコードも設定されているはずである。そこで、コンピュータ１２１からプリンタ１０１に送信するラベル発行要求に伴わせて、ラベル用紙１０３のＩＤコードをプリンタ１０１に送信する。あるいは、ラベル用紙１０３のＩＤコードをコンピュータ１２１からプリンタ１０１に事前に送信しておき、プリンタ１０１においてそのＩＤコードを例えばＥＥＰＲＯＭ１５５に保存しておく。こうして、ＣＰＵ１５２は、ＩＣインレット１０６ｂに対する情報の書き込みに際して、そのＩＣインレット１０６ｂを内蔵するラベル用紙１０３のＩＤコードをＩＣインレット１０６ｂの種類を特定する識別情報として取り込むことができる。これが、ＩＣインレット１０６ｂの種類を特定する識別情報及びその取り込み手法の別の一例である。
【００３０】
次に、無線タグリーダライタ１７１が行なう出力レベルの調節手法について説明する。
【００３１】
一例として、無線タグリーダライタ１７１は、基本となる出力レベルを設定したならばその設定状態を維持し、増幅器１７６は変調部１７４から出力された送信データを乗せた搬送波をその出力レベルで増幅する場合を想定する。この場合には、基本となる出力レベルに対する修正値という形態でレベル設定信号を無線タグリーダライタ１７１に入力する。これにより、無線タグリーダライタ１７１の主制御部１７２は、その修正値としてのレベル設定信号で増幅器１７６の出力レベルを調節する。これが、出力レベルの調節手法の一例である。
【００３２】
別の一例として、無線タグリーダライタ１７１は、情報の書き込み動作をする毎に増幅器１７６の出力レベルを設定する場合を想定する。この場合には、出力レベルの設定値という形態でレベル設定信号を無線タグリーダライタ１７１に入力する。これにより、無線タグリーダライタ１７１の主制御部１７２は、その設定値としてのレベル設定信号で増幅器１７６の出力レベルを設定する。これが、出力レベルの調節手法の別の一例である。
【００３３】
以上、ＩＣインレット１０６ｂの種類を特定する識別情報を取り込む手法を二種類、無線タグリーダライタ１７１が行なう出力レベルの調節手法も二種類紹介した。そこで、プリンタ１０１が採用するそれらの組み合わせに応じて、ＥＥＰＲＯＭ１５５が格納する検索データ１５５ａの内容が自ずと決められる。検索データ１５５ａとして、ここでは図５（ａ）〜図５（ｈ）までの８種類の例を説明する。
【００３４】
図５（ａ）に示す検索データ１５５ａは、ＩＣインレット１０６ｂの種類を特定する識別情報としてそのＩＣチップのＩＤコードを利用し、無線タグリーダライタ１７１が基本となる出力レベルに対して修正値をもってその出力レベルを調節する場合に対応している。そこで、検索データ１５５ａは、ＩＣチップのＩＤコード毎に、複数の温度帯における出力レベル修正値を定義している。温度帯としては、一例として、２０℃以下、２０℃〜３０℃、３０℃以上の三種類である。もっとも、これらの温度帯は、ＩＣチップのＩＤコードによって特定されるＩＣインレット１０６ｂの種類毎に独自に決められていても良い。出力レベル修正値は、ＩＣチップのＩＤコードで特定されるＩＣインレット１０６ｂの温度特性による不都合を是正するために無線タグリーダライタ１７１に入力するレベル設定信号の値となる。つまり、ＩＣインレット１０６ｂが温度特性を持ち、ある温度帯で大きな書き込み出力を必要とする場合、無線タグリーダライタ１７１の書き込み出力が他の温度帯と同一であるとすると、書き込み不良が生ずることがある。そこで、この場合の出力レベル修正値は、無線タグリーダライタ１７１の書き込み出力を増大させるような値となる。このような修正値には、一例として、実験により求めた値を用いる。別の一例として、ＩＣインレット１０６ｂの温度特性が予め分かっていれば理論値を用いることもできる。但し、理論値を用いる場合であっても、実験による検証をすることが望ましい。
【００３５】
図５（ｂ）に示す検索データ１５５ａは、ＩＣインレット１０６ｂの種類を特定する識別情報としてそのＩＣチップのＩＤコードを利用し、無線タグリーダライタ１７１が情報の書き込み動作をする毎に増幅器１７６の出力レベルを設定する場合に対応している。そこで、検索データ１５５ａは、ＩＣチップのＩＤコード毎に、複数の温度帯における出力レベル設定値を定義している。温度帯については、図５（ａ）に示す検索データ１５５ａの場合と同様である。出力レベル設定値は、ＩＣチップのＩＤコードで特定されるＩＣインレット１０６ｂの温度特性による不都合を是正するために無線タグリーダライタ１７１に入力するレベル設定信号の値となる。つまり、ＩＣインレット１０６ｂが温度特性を持ち、ある温度帯で大きな書き込み出力を必要とする場合、無線タグリーダライタ１７１の書き込み出力が他の温度帯と同一であるとすると、書き込み不良が生ずることがある。そこで、この場合の出力レベル設定値は、無線タグリーダライタ１７１の書き込み出力を増大させるような値となる。このような設定値には、一例として、実験により求めた値を用いる。別の一例として、ＩＣインレット１０６ｂの温度特性が予め分かっていれば理論値を用いることもできる。但し、理論値を用いる場合であっても、実験による検証をすることが望ましい。
【００３６】
図５（ｃ）に示す検索データ１５５ａは、ＩＣインレット１０６ｂの種類を特定する識別情報としてラベル用紙１０３のＩＤコードを利用し、無線タグリーダライタ１７１が基本となる出力レベルに対して修正値をもってその出力レベルを調節する場合に対応している。そこで、検索データ１５５ａは、ラベル用紙１０３のＩＤコード毎に、複数の温度帯における出力レベル修正値を定義している。温度帯及び修正値については、図５（ａ）に示す検索データ１５５ａの場合と同様である。
【００３７】
図５（ｄ）に示す検索データ１５５ａは、ＩＣインレット１０６ｂの種類を特定する識別情報としてラベル用紙１０３のＩＤコードを利用し、無線タグリーダライタ１７１が情報の書き込み動作をする毎に増幅器１７６の出力レベルを設定する場合に対応している。そこで、検索データ１５５ａは、ラベル用紙１０３のＩＤコード毎に、複数の温度帯における出力レベル設定値を定義している。温度帯については、図５（ａ）に示す検索データ１５５ａの場合と同様である。設定値については、図５（ｂ）に示す検索データ１５５ａの場合と同様である。
【００３８】
図５（ｅ）に示す検索データ１５５ａは、ＩＣインレット１０６ｂの種類を特定する識別情報としてそのＩＣチップのＩＤコードを利用し、無線タグリーダライタ１７１が基本となる出力レベルに対して修正値をもってその出力レベルを調節する場合に対応している。そこで、検索データ１５５ａは、ＩＣチップのＩＤコード毎に、温度センサ１１４の出力温度の値を代入すべき変数とする関数式を定義している。この関数式は、ＩＣチップのＩＤコードで特定されるＩＣインレット１０６ｂの温度特性による不都合を是正するために無線タグリーダライタ１７１に入力する修正値としてのレベル設定信号の値を解とする。つまり、ＩＣインレット１０６ｂが温度特性を持ち、ある温度帯で大きな書き込み出力を必要とする場合、無線タグリーダライタ１７１の書き込み出力が他の温度帯と同一であるとすると、書き込み不良が生ずることがある。そこで、この場合の出力レベル修正値は、無線タグリーダライタ１７１の書き込み出力を増大させるような値となる。このような修正値には、一例として、実験により求めた値を用いる。別の一例として、ＩＣインレット１０６ｂの温度特性が予め分かっていれば理論値を用いることもできる。但し、理論値を用いる場合であっても、実験による検証をすることが望ましい。そして、温度センサ１１４が測定する現在の温度の値を変数として入力することで、実験で求めた修正値又は理論的に求めた修正値を解として導出できるような関数式を求める。この関数式が、ＩＣチップのＩＤコード毎に定義される検索データ１５５ａとなる。
【００３９】
図５（ｆ）に示す検索データ１５５ａは、ＩＣインレット１０６ｂの種類を特定する識別情報としてそのＩＣチップのＩＤコードを利用し、無線タグリーダライタ１７１が情報の書き込み動作をする毎に増幅器１７６の出力レベルを設定する場合に対応している。そこで、検索データ１５５ａは、ＩＣチップのＩＤコード毎に、温度センサ１１４の出力温度の値を代入すべき変数とする関数式を定義している。この関数式は、ＩＣチップのＩＤコードで特定されるＩＣインレット１０６ｂの温度特性による不都合を是正するために無線タグリーダライタ１７１に入力する設定値としてのレベル設定信号の値を解とする。つまり、ＩＣインレット１０６ｂが温度特性を持ち、ある温度帯で大きな書き込み出力を必要とする場合、無線タグリーダライタ１７１の書き込み出力が他の温度帯と同一であるとすると、書き込み不良が生ずることがある。そこで、この場合の出力レベル設定値は、無線タグリーダライタ１７１の書き込み出力を増大させるような値となる。このような設定値には、一例として、実験により求めた値を用いる。別の一例として、ＩＣインレット１０６ｂの温度特性が予め分かっていれば理論値を用いることもできる。但し、理論値を用いる場合であっても、実験による検証をすることが望ましい。そして、温度センサ１１４が測定する現在の温度の値を変数として入力することで、実験で求めた設定値又は理論的に求めた設定値を解として導出できるような関数式を求める。この関数式が、ＩＣチップのＩＤコード毎に定義される検索データ１５５ａとなる。
【００４０】
図５（ｇ）に示す検索データ１５５ａは、ＩＣインレット１０６ｂの種類を特定する識別情報としてラベル用紙１０３のＩＤコードを利用し、無線タグリーダライタ１７１が基本となる出力レベルに対して修正値をもってその出力レベルを調節する場合に対応している。そこで、検索データ１５５ａは、ラベル用紙１０３のＩＤコード毎に、温度センサ１１４の出力温度の値を代入すべき変数とする関数式を定義している。この場合の関数式については、図５（ｅ）に示す検索データ１５５ａの場合と同様である。
【００４１】
図５（ｈ）に示す検索データ１５５ａは、ＩＣインレット１０６ｂの種類を特定する識別情報としてラベル用紙１０３のＩＤコードを利用し、無線タグリーダライタ１７１が情報の書き込み動作をする毎に増幅器１７６の出力レベルを設定する場合に対応している。そこで、検索データ１５５ａは、ラベル用紙１０３のＩＤコード毎に、温度センサ１１４の出力温度の値を代入すべき変数とする関数式を定義している。この場合の関数式については、図５（ｆ）に示す検索データ１５５ａの場合と同様である。
【００４２】
図６は、ラベル発行処理の流れを示すフローチャートである。このラベル発行処理は、フラッシュＲＯＭ１５４に格納されている動作プログラムに従い、プリンタ１０１の制御部１５１が備えているＣＰＵ１５２が実行する。つまり、ＣＰＵ１５２は、コンピュータ１２１からラベル発行要求を受信すると（ＡＣＴ１０１）、ラベル用紙１０３を案内経路１０８に沿って搬送する（ＡＣＴ１０２）。制御部１５１のＣＰＵ１５２は、搬送処理により、無線通信部１１０が内蔵する無線タグリーダライタ１７１のアンテナ１７９の位置に情報記録の対象となるラベル１０６が内蔵するＩＣインレット１０６ｂのアンテナ（図示せず）の位置を合わせる。
【００４３】
この状態で、ＣＰＵ１５２は、位置合わせされたＩＣインレット１０６ｂと無線タグリーダライタ１７１を用いて近距離無線通信処理を実行する（ＡＣＴ１０３）。この処理で、ＣＰＵ１５２は、対象となるＩＣインレット１０６ｂのＩＣチップに対して、情報の書き込み処理を実行する（図７のＡＣＴ１０３−１〜ＡＣＴ１０３−３参照）。
【００４４】
その後、ＣＰＵ１５２は、ラベル用紙１０３を搬送し、ＩＣインレット１０６ｂのＩＣチップに情報を書き込んだラベル１０６の記録面１０６ａに印字処理を実行する（ＡＣＴ１０４）。印字処理では、プラテン１１２ａの回転によってラベル用紙１０３を搬送しつつ、対象となるラベル１０６の記録面１０６ａにサーマルプリントヘッド１１２ｂによるサーマル印字方式の印字を行なう。そして、情報記録後のラベル１０６を案内経路１０８上でカッタ１１３の下流側に位置付けたらカッタ１１３でラベル用紙１０３を切断し、情報記録済みのラベル１０６を排紙口１０７から発行する。
【００４５】
図７は、ＩＣインレット１０６ｂに対する情報の書き込み処理の流れを示すフローチャートである。この情報の書き込み処理は、フラッシュＲＯＭ１５４に格納されている動作プログラムに従い、プリンタ１０１の制御部１５１が備えているＣＰＵ１５２が実行する。つまり、ＣＰＵ１５２は、まず、情報を書き込もうとするＩＣインレット１０６ｂの種類を特定する識別情報を取り込む処理（工程）を実行する（ＡＣＴ１０３−１）。この処理は、前述したように、一例として、対象となるＩＣインレット１０６ｂとの通信確立時にそのＩＣチップのＩＤコードを取り込むことにより実行され、別の一例として、プリンタ１０１から送信されてきたラベル用紙１０３のＩＤコードを取り込むことにより実行される。
【００４６】
続いて、ＣＰＵ１５２は、検索データ１５５ａを格納するＥＥＰＲＯＭ１５５にアクセスし、取り込んだ識別情報及び温度センサ１１４の出力温度から、無線タグリーダライタ１７１に入力するレベル設定信号を導き出す処理（工程）を実行する（ＡＣＴ１０３−２）。この処理で実行すべきレベル設定信号の導出手法については、図５（ａ）〜図５（ｈ）の説明項目の部分で十分に説明した。
【００４７】
そして、ＣＰＵ１５２は、導き出したレベル設定信号をもって無線タグリーダライタ１７１の書き込み出力を設定した状態で無線タグリーダライタ１７１にＩＣインレット１０６ｂに対する情報の書き込みを行なわせる処理（工程）を実行する（ＡＣＴ１０３−３）。これにより、ＩＣインレット１０６ｂに対して、書き込み不良を生じさせることなく確実に情報を書き込むことができる。
【００４８】
以上説明したように、本実施の形態のプリンタ１０１によれば、これから無線タグリーダライタ１７１に情報の書き込みをさせようとするＩＣインレット１０６ｂの種類を特定する識別情報と温度センサ１１４の出力温度とから導かれるレベル設定信号を無線タグリーダライタ１７１に入力してその書き込み出力を設定するようにした。これにより、無線タグリーダライタ１７１の書き込み出力をＩＣインレット１０６ｂの温度特性に応じて自動補正することができる。したがって、本実施の形態のプリンタ１０１によれば、無線タグリーダライタ１７１の書き込み出力の手動調節を要することなく、温度特性を持つＩＣインレット１０６ｂに対してどのような温度帯でも確実に情報を書き込むことができる。
【００４９】
ここで、ＩＣインレット１０６ｂを内蔵するラベル用紙１０３として例示したようなＩＣインレットを搭載する記録媒体は、今後、より一層普及していくことが予想される。このため、将来的には、そのような記録媒体に様々な種類のＩＣインレットが搭載されていくことになるであろう。このような事態に対処するためには、図５（ａ）〜図５（ｈ）に例示するような検索データ１５５ａに、新規のＩＣインレットについてのデータを追加していく必要がある。そこで、そのためのスキームとして、メーカシステム２１が管理運営するメンテナンス用サイト２０１に、検索データ１５５ａに追加すべき新規のＩＣインレットについてのデータをコンピュータ１２１にダウンロードできるようにしておく（図１参照）。これにより、検索データ１５５ａに追加すべき新規のＩＣインレットに関するデータをメンテナンス用サイト２０１からコンピュータ１２１にダウンロードし、これをコンピュータ１２１がプリンタ１０１に送信する。プリンタ１０１の制御部１５１は、コンピュータ１２１から送信されてきた新規のＩＣインレットについてのデータを追加するために、ＥＥＰＲＯＭ１５５の検索データ１５５ａを新規の追加データを追加した形態で書き換える。これにより、新規のＩＣインレットについてのデータを逐次追加していくことができる。
【００５０】
なお、検索データ１５５ａは、ＥＥＰＲＯＭ１５５に記録されていることが必ずしも必須ではなく、フラッシュＲＯＭ１５４の所定ブロックに記録されていても、別の情報記憶媒体に記録されていても良い。データを書き換えるか追加することができる不揮発性のメモリやＨＤＤ、あるいはＵＳＢ等であれば、検索データ１５５ａを記憶する媒体として用いることができる。
【００５１】
また、記録媒体として、本実施の形態ではラベル用紙１０３を用いる態様を示したが、これに限るわけではなく、他の形態のものであっても良い。例えば、単票用紙の形態であっても、感熱発色層を有しない形態であっても、紙媒体ではなく樹脂フィルムのような形態であっても、ＩＣインレット１０６ｂを搭載できて記録面１０６ａを有する媒体であれば、いかなる媒体をも記録媒体として用いることができる。
【符号の説明】
【００５２】
１０３…ラベル用紙（記録媒体），１０６ａ…記録面，１０６ｂ…ＩＣインレット，１０８…案内経路，１１０…無線通信部，１１２…印字部，１１２ａ…プラテン（案内搬送部），１１４…温度センサ，１５１…制御部，１５５…ＥＥＰＲＯＭ（記憶部），１５５ａ…検索データ，ＰＭ…プラテンモータ（案内搬送部）
【図１】
2010201645.tif 000003
【図２】
2010201645.tif 000004
【図３】
2010201645.tif 000005
【図４】
2010201645.tif 000006
【図５】
2010201645.tif 000007
【図６】
2010201645.tif 000008
【図７】
2010201645.tif 000009